(57)【要約】【課題】  金属製の戸締り装置に比して簡単、安価な戸締り装置を提供すること。【解決手段】  表面に第１の係合素子を有する固定部材と、少なくとも一表面に第２の係合素子を有する付設部材とからなる引き戸用戸締り装置であって、該固定部材を引き戸の枠に装着し、該付設部材を該固定部材上に係止してなる引き戸用戸締り装置。【選択図】  図３
2005120574.tif 000002
【特許請求の範囲】
【請求項１】
表面に第１の係合素子を有する固定部材と、少なくとも一表面に第２の係合素子を有する付設部材とからなる引き戸用戸締り装置であって、該固定部材を引き戸の枠に装着し、該付設部材を該固定部材上に係止してなる引き戸用戸締り装置。
【請求項２】
付設部材が両面に第２の係合素子を有し、固定部材が折り曲げられて該付設部材の両面を係止してなる請求項１記載の引き戸用戸締り装置。
【請求項３】
第１の係合素子がループ係合素子であり、第２の係合素子がフック係合素子である請求項１または２記載の引き戸用戸締り装置。
【請求項４】
第１の係合素子および第２の係合素子がフック・ループ混在型の係合素子である請求項１または２記載の引き戸用戸締り装置。
【発明の詳細な説明】
【技術分野】
【０００１】
本発明は、建物等に多用されている引き戸の戸締り装置に関し、さらに詳しくは、面ファスナーを用いた引き戸の戸締り装置に関する。
【背景技術】
【０００２】
建物に多用される引き戸には、防犯上種々の鍵や戸締り装置が設けられている。本格的な戸締り装置としては棒ねじ込み式や回転片はめ込み式の鍵があり、その補助的装置として、金属製でストッパー片を倒立する戸締り装置や、はめ込み式の補助ロック装置等が使用されている（例えば、特許文献１参照）。
かかる金属製の戸締り装置は堅牢であるが、構造が複雑であり製造コストが高いことが問題点として指摘されていた。
【０００３】
【特許文献１】実開平６−４０２５９号公報
【発明の開示】
【発明が解決しようとする課題】
【０００４】
本発明は、上述の問題点に鑑みてなされたものであり、その目的は防犯効果の高い引き戸用戸締り装置を安価に提供することにある。
【課題を解決するための手段】
【０００５】
本発明者らは、日用品として使用されている面ファスナーを利用することで、安価で防犯効果の高い引き戸用戸締り装置が得られることを見い出し、本発明を完成した。
すなわち本発明は、表面に第１の係合素子を有する固定部材と、少なくとも一表面に第２の係合素子を有する付設部材とからなる引き戸用戸締り装置であって、該固定部材を引き戸の枠に装着し、該付設部材を該固定部材上に係止してなる引き戸用戸締り装置である。
【発明の効果】
【０００６】
本発明により、金属製の戸締り装置に比して簡単で安価な戸締り装置を提供することができ、窓などの防犯に寄与することができる。
【発明を実施するための最良の形態】
【０００７】
本発明の引き戸用戸締り装置は、表面に第１の係合素子を有する固定部材と、少なくとも一表面に第２の係合素子を有する付設部材とから構成される。本発明において、一方の引き戸（第１の引き戸）の枠に、例えば粘着剤層を設けて該固定部材を装着し、さらに該付設部材を該固定部材上に係止させることで、もう一方の引き戸（第２の引き戸）を開けようとすると第２の引き戸の枠が、第１の引き戸に設けられた付設部材に衝突することで、移動が阻止され戸締り、防犯効果が奏される。
【０００８】
以下、図面に基づき本発明を具体的に説明する。
図１は、本発明の戸締り装置に用いる固定部材を引き戸の枠に取り付けた状態の一例を示す断面模式図である。図１では、固定部材１はその基布の一表面に第１の係合素子２を有し、その裏面に粘着剤層３を設けている。固定部材は粘着剤層により第１の引き戸の枠４に粘着される。固定部材としては、通常市販されている面ファスナーテープを使用できる。また、粘着剤層は、従来公知の粘着剤を使用することができ、アクリル系粘着剤、ゴム系粘着剤、ウレタン系粘着剤、シリコン系粘着剤等各種使用できる。中でも耐久性が高く、耐熱性の高いものが好ましく、アクリル系粘着剤、ゴム系粘着剤が好ましい。なお、粘着剤層には離型紙などを添着し、使用前の粘着剤層の露出を防ぐことが望ましい。
使用時に粘着剤層を露出し、第１の引き戸の枠４に粘着する。粘着剤層の長さは特に制限はないが、強度などの点から３〜１０ｃｍ程度が好ましい。
【０００９】
図２は、本発明の戸締り装置に用いる付設部材の一例を示す断面模式図である。
図２において、付設部材５は矩形の基材とその一面に付設された第２の係合素子６からなる。基材は、移動する引き戸を阻止するストッパーとして作用する点から硬質のものが好ましく、アルミニウムやステンレススチールなどの金属、アクリルやポリカーボネート等の硬質樹脂、硬質ゴム、木材などが使用できる。第２の係合素子は、基材の表面に例えば市販されている面ファスナー等を接着して付設することができる。この場合、基材は第２の係合素子となる面ファスナーテープとの接着性に優れたものが好ましく、粗面化した金属、硬質樹脂等が挙げられる。また、付設部材を樹脂成形により製造する場合は、基材と係合素子を一体成形で製造することもできる。基材の大きさは、固定部材の幅や引き戸の枠の大きさを考慮して決定されるが、通常幅１〜３ｃｍ程度、長さ３〜６ｃｍ程度である。
【００１０】
図３は、本発明の引き戸用戸締り装置の一例として、固定部材および付設部材を引き戸に装着した状態を示す断面模式図である。
図３において、固定部材１を第１の引き戸の枠４に粘着剤層３を介して粘着し、その上に付設部材を配置し両表面の係合素子を係合させる。これにより付設部材５は、固定部材１に設けられた多数の係合素子により係合、固定される。この状態で第２の引き戸の枠７が移動して、付設部材５の端部８に衝突すると、その力を付設部材５と固定部材１が吸収し、係合素子の係合が脱離するか粘着剤層の粘着が破壊されないかぎり、第２の引き戸を移動させることができない。係合素子の係合力は横方向に強力であるので、従来の金属製の戸締り装置の移動阻止力と比較しても、同等の阻止力を示す。本発明において、引き戸の移動阻止力、すなわち係合素子の横方向における強力の目安として、面ファスナーの係合ずれ強力である引張りせん断強度が１０Ｎ／ｃｍ２以上あるものが好ましく、より好ましくは２５〜４０Ｎ／ｃｍ２である。また、固定部材の高さは、引き戸の枠に粘着させた場合に引き戸同士の隙間以下となるように選定するが、通常２ｍｍ以下であれば引き戸の開け閉めを阻害することはない。なお、付設部材との係合状態における高さは２〜３ｍｍが好ましい。固定部材の厚さが５ｍｍを超えると付設部材を係合させていないときでも引き戸に衝突する場合がある。
【００１１】
図４は、本発明の引き戸用戸締り装置に用いる固定部材を引き戸の枠に取り付けた状態の他の一例を示す断面模式図である。図４において、固定部材１はその基布の表面に第１の係合素子２を有し、その長さの略半分の裏面に粘着剤層３を有する。固定部材は、粘着剤層の中央側の端部で折り曲げ可能とすることが好ましい。具体的には、固定部材全体またはその中央付近で折り曲げ可能な柔軟性を有するように構成するが、市販されている面ファスナーテープを固定部材として使用できる。
【００１２】
図５は、本発明の引き戸用戸締り装置に用いる付設部材の他の一例を示す断面模式図である。図５において、付設部材５は矩形の基材とその両面に付設された第２の係合素子６、６’からなる。
【００１３】
図６は、本発明の引き戸用戸締り装置の他の一例として、図４に示した固定部材および図５に示した付設部材を引き戸に装着した状態を示す断面模式図である。
図６において、固定部材１を第１の引き戸の枠４に粘着剤層３を介して粘着し、その粘着剤の部分に付設部材を配置し、一表面の係合素子を係合し、次いで固定部材１の残りの部分を折り曲げて付設部材５の他の一表面の係合素子と係合させる。これにより、付設部材５は固定部材１により両面が包まれ、より強固に固定される。この状態で第２の戸の枠７が移動して、付設部材５の端部８に衝突すると、その力を付設部材と固定部材１が吸収し、粘着剤層の粘着が破壊されないかぎり、第２の戸を移動させることができない。係合素子の係合力は横方向に対して強力であるので、従来の金属製の戸締り装置の移動阻止力と比較しても問題とならない。また、図３に示した戸締り装置よりさらに高い移動阻止力が得られる。
【００１４】
本発明において、固定部材に設けられる第１の係合素子をループ状係合素子とし、付設部材に設けられる第２の係合素子をフック状係合素子とすることが好ましい。その逆の配置とすると、戸の枠に付設して常時露出する第１のフック状係合素子が、カーテンなどの他の繊維と不要な係合をして、繊維を損傷するとともに、係合素子に繊維くずなどが係合する場合がある。
なお、係合素子の他の例として第１および第２の係合素子をフック・ループ混在型の係合素子としてもよく、市販のフック・ループ混在型面ファスナーを使用することができる。フック・ループ混在型面ファスナーの係合力はフック状係合素子とループ状係合素子を係合する面ファスナーより低い場合があるので、必要とする係合力を考慮して選択することが好ましい。
【００１５】
ループ係合素子としては、基布にマルチフィラメントをループ状に編織製したものや、起毛不織布などが使用できる。一方、フック係合素子としては、モノフィラメントを基布に織製し、その一部を切断してフック係合素子としたものや、立設したモノフィラメント端部を溶融してキノコ型係合素子としたもの、さらに各種の成形法で係合素子を一体成形した成形樹脂製のフック状係合素子が使用できる。
【００１６】
本発明に用いる付設部材は、不使用時に紛失しないよう、固定部材の近傍に保管することが好ましく、引き戸の邪魔とならない部位に付設部材保持用の係合素子片を付設し、該係合素子と付設部材の係合素子を係合して保管してもよい。そのために、付設部材は赤色や黄色などの目立った色彩を有するものとすると紛失防止に有効であり、より好ましい。
【００１７】
図７は、本発明の引き戸用戸締り装置を引き戸に装着した状態を示す平面模式図である。
第１の引き戸と第２の引き戸が別々のレール上に乗っており、２枚の引き戸の枠が重なる部位に、例えば棒ねじ込み式の鍵９が設けられる。本発明の戸締り装置１０は、第１の引き戸４の枠の少なくとも一方であって、２枚の引き戸が重なる部位の近傍に設置される。図７においては、上下２箇所に付設されており、例えば図３または図６のような戸締り装置を設置すると、いずれの引き戸を引いて開けようとしても、引き戸に設けられた戸締り装置の阻止力によって、大きな移動はできず、防犯の機能を発揮することができる。
戸を開けるときは、固定部材１と付設部材の係合を解除し、付設部材を所定の保管所に移す。固定部材１は第１の引き戸の枠に薄く伸張された状態となるため、その上を第２の引き戸は支障なく移動することができる。
【００１８】
以下、実施例により本発明をより具体的に説明するが、本発明はこれら実施例に何ら限定されるものではない。
【実施例１】
【００１９】
素子密度４０ケ／平方インチの織製フック面ファスナー（マジックテープ社製、Ａ０３８００  Ｐ−Ｎ）の裏面にゴム系の粘着加工を施し、固定部材を得た。一方、付設部材として、片側の面にゴム系の粘着加工が施された織製ループ面ファスナー（マジックテープ社製、Ｂ１００００  Ｐ−Ｎ）を硬質ゴム（幅２５ｍｍ、長さ５０ｍｍ、厚さ５ｍｍ）を貼着させたものを準備した。かかる引き戸用戸締り装置を図４に示したようなアルミサッシ製の引き戸の枠の上下に２個装着した。装着状態で引き戸を開けた場合、戸締り装置の阻止力で引き戸の移動が妨げられ、少なくとも３０分以内での移動は容易ではなかった。
【実施例２】
【００２０】
付設部材として、ゴム系の粘着加工が施された織製のループ面ファスナー（マジックテープ社製  Ｂ１００００Ｐ−Ｎ）を硬質ゴム（幅２５ｍｍ、長さ５０ｍｍ、厚さ５ｍｍ）の両面に粘着させたものを作製した。固定部材として付設部材の略２倍の長さを有し、素子密度が４０ケ／平方インチで、裏面にゴム系の粘着加工が施された織製のフック面ファスナー（マジックテープ社製  Ａ０３８００  Ｐ−Ｎ）を用いた。図６に示したように引き戸の枠に上下に２個装着した。装着状態において引き戸を開けた場合、戸締り装置の阻止力で引き戸の移動が妨げられ、少なくとも３０分以内での移動は容易ではなかった。
【実施例３】
【００２１】
固定部材として、素子密度４０ケ／平方インチのポリエステル製成形フック面ファスナー（マジックテープ社製  Ｌ９０７００Ｐ−Ｎ）の裏面にゴム系の粘着加工が施されたものを用いた。一方、付設部材として、片側の面にゴム系の粘着加工が施した織製ループ面ファスナー（マジックテープ社製  Ｂ１００００Ｐ−Ｎ）を市販の天然硬質ゴム（厚さ５ｍｍ、幅２５ｍｍ、長さ５０ｍｍ）を貼着させたものを作製した。かかる引き戸用戸締り装置を図４に示したようにアルミサッシ製の引き戸の上下に２個装着した。装着状態で引き戸を開けた場合、戸締り装置の阻止力で引き戸の移動が妨げられ、少なくとも３０分以内での移動は容易ではなかった。
【図面の簡単な説明】
【００２２】
【図１】本発明の戸締り装置に用いる固定部材を引き戸の枠に取り付けた状態の一例を示す断面模式図。
【図２】本発明の戸締り装置に用いる付設部材の一例を示す断面模式図。
【図３】本発明の引き戸用戸締り装置の一例として、固定部材および付設部材を引き戸に装着した状態を示す断面模式図。
【図４】本発明の引き戸用戸締り装置に用いる固定部材を引き戸の枠に取り付けた状態の他の一例を示す断面模式図。
【図５】本発明の引き戸用戸締り装置に用いる付設部材の他の一例を示す断面模式図。
【図６】本発明の引き戸用戸締り装置の他の一例として、図４に示した固定部材および図５に示した付設部材を引き戸に装着した状態を示す断面模式図。
【図７】本発明の引き戸用戸締り装置を引き戸に装着した状態を示す模式図。
【符号の説明】
【００２３】
１：固定部材
２：第１の係合素子
３：粘着剤層
４：第１の引き戸の枠
５：付設部材
６、６’：第２の係合素子
７：第２の引き戸の枠
８：付設部材の端部
９：棒ねじ込み式の鍵
１０：本発明の引き戸用戸締り装置
【図１】
2005120574.tif 000003
【図２】
2005120574.tif 000004
【図３】
2005120574.tif 000005
【図４】
2005120574.tif 000006
【図５】
2005120574.tif 000007
【図６】
2005120574.tif 000008
【図７】
2005120574.tif 000009